(57)【要約】【課題】スピーカの表示部への取着剛性を高めることができ、しかも、スピーカに発生する振動が取着体から表示部に伝播されるのを抑制することができる表示装置を提供する。【解決手段】画像を表示する表示部１の下部と、該表示部１の下部に取着体３により取着されるスピーカ２とに嵌合孔１３，２３を設け、該嵌合孔１３，２３に挿入／離脱される軸体４１を有する可動体４と、該可動体４を挿脱方向へ移動させるレバー５とを取着体３に保持し、スピーカ２に発生する振動が取着体３から表示部１に伝播されるのを抑制する抑制部材を設け、持ち運びされるとき可動体４を挿入方向へ移動させ、持ち運び後に可動体４を離脱方向へ移動させるようにした。【選択図】図４
2007318238.tif 000002
【特許請求の範囲】
【請求項１】
表示部の下部に取着体によりスピーカを取着してなる表示装置において、前記スピーカ又は取着体、及び表示部の一方は嵌合孔を有し、他方は該嵌合孔に挿入／離脱される可動体を有し、該可動体を挿脱方向へ移動させる操作手段と、前記スピーカに発生する振動が前記取着体から前記表示部に伝播されるのを抑制する抑制部材とを備えることを特徴とする表示装置。
【請求項２】
前記操作手段は、前記スピーカ又は取着体に枢支され、前記可動体を挿入方向へ押圧するレバーと、前記可動体を離脱方向へ付勢する弾性体とを備える請求項１記載の表示装置。
【請求項３】
前記操作手段は、軸長方向への移動が不可能で、且つ回転を可能として前記スピーカ又は取着体に保持されているボルトと、該ボルトが螺合され、前記可動体に開設されている螺子孔とを備える請求項１記載の表示装置。
【請求項４】
前記嵌合孔は複数並置されており、前記可動体は前記嵌合孔に挿入／離脱される複数の軸体及び該軸体を連結する連結部を有する請求項１乃至３のいずれか一つに記載の表示装置。
【請求項５】
前記取着体は、下面に指が掛けられる把手部と、前記可動体が収容される収容部とを有し、前記レバー又はボルトは前記取着体に保持されている請求項２乃至４のいずれか一つに記載の表示装置。
【請求項６】
前記取着体は雄螺子が挿通される複数の貫通孔を有し、前記抑制部材は前記雄螺子が挿通される弾性筒、及び前記取着体の外縁部に保持される弾性板である請求項１乃至５のいずれか一つに記載の表示装置。
【発明の詳細な説明】
【技術分野】
【０００１】
本発明は液晶表示装置、プラズマ表示装置等の表示装置に関する。
【背景技術】
【０００２】
液晶テレビ等の表示装置は、画像を表示するパネル及び該パネルを収容したキャビネットを有する表示部と、該表示部の下部のキャビネット内に収容されたスピーカとを備えている（例えば特許文献１参照）。
【０００３】
スピーカを備える表示装置は、スピーカから外部に放音されるとき該スピーカに振動が発生するため、スピーカを表示部に取着する取着体とスピーカとの間に弾性部材を介在することにより、スピーカに発生する振動が表示部に伝播されるのを抑制するように構成されたものが知られている（例えば特許文献２参照）。
【０００４】
また、表示装置は前記キャビネットとキャビネットの側部に設けられた把手部に指を引掛けて持運ぶことができるように構成されている（例えば特許文献３参照）。
【特許文献１】特開２０００−２８７２８７号公報
【特許文献２】特開２００１−３０９２７７号公報
【特許文献３】特開平６−２６８９４７号公報
【発明の開示】
【発明が解決しようとする課題】
【０００５】
ところで、表示部の下部に沿って略直方体をなすスピーカを配置し、該スピーカの長手方向両端部を取着体により表示部のキャビネットに取着するように表示装置が構成された場合、表示部下側のスピーカに指が掛けられ、この状態で表示装置が持上げられることがある。このとき、スピーカに持上げ荷重が加わるため、表示装置の大形化に伴って取着体によるスピーカの取着剛性を高める必要がある。
【０００６】
ところが、取着体によるスピーカの取着剛性を高くすると、特許文献２のようにスピーカを取着する取着体と表示部との間に弾性部材を介在させる構成を採用することができないため、スピーカに発生する振動が取着体から表示部に伝播され易くなり、表示部のパネルが微振動し、ビビリ音が発生することになる。
【０００７】
本発明は斯かる事情に鑑みてなされたものであり、主たる目的はスピーカ又は取着体、及び表示部の一方に嵌合孔を設け、該嵌合孔に挿入／離脱される可動体を他方に設け、該可動体を挿脱方向へ移動させる操作手段と、スピーカに発生する振動が取着体から表示部に伝播されるのを抑制する抑制部材とを設けることにより、スピーカの表示部への取着剛性を高めることができ、しかも、スピーカに発生する振動が取着体から表示部に伝播されるのを抑制することができる表示装置を提供することにある。
【０００８】
また、他の目的は可動体を挿入方向へ押圧するレバー、及び可動体を離脱方向へ付勢する弾性体を備える構成とすることにより、可動体の移動切換えを簡易にできる表示装置を提供することにある。
【０００９】
この発明にあっては、レバーを一方向へ回動操作することにより弾性体の付勢力に打ち勝って可動体を挿入方向へ移動させることができ、また、レバーを他方向へ回動操作することにより弾性体の付勢力で可動体を離脱方向へ移動させることができるため、可動体の移動切換えを簡易にできる。
【００１０】
また、他の目的は可動体を挿入、離脱方向へ相対移動させるボルト、及び該ボルトが螺合される螺子孔を備える構成とすることにより、可動体の移動切換えを簡易にできる表示装置を提供することにある。
【００１１】
また、他の目的は嵌合孔を複数並置し、該嵌合孔に挿入／離脱される複数の軸体及び該軸体を連結する連結部を有する可動体を備えることにより、持上げ荷重を分散することができ、スピーカの表示部への取着剛性をより一層高めることができる表示装置を提供することにある。
【００１２】
また、他の目的は下面に指が掛けられる把手部と、可動体が収容される収容部とを取着体に設け、該取着体にレバー又はボルトを保持することにより、部品点数を低減でき、コストを低減できる表示装置を提供することにある。
【００１３】
また、他の目的は雄螺子が挿通される複数の貫通孔を取着体に設け、抑制部材を、前記雄螺子が挿通される弾性筒及び取着体の外縁部に保持される弾性板とすることにより、抑制部材に影響されることなく可動体を挿脱方向へ移動させることができる表示装置を提供することにある。
【課題を解決するための手段】
【００１４】
本発明に係る表示装置は、表示部の下部に取着体によりスピーカを取着してなる表示装置において、前記スピーカ又は取着体、及び表示部の一方は嵌合孔を有し、他方は該嵌合孔に挿入／離脱される可動体を有し、該可動体を挿脱方向へ移動させる操作手段と、前記スピーカに発生する振動が前記取着体から前記表示部に伝播されるのを抑制する抑制部材とを備えることを特徴とする。
【００１５】
この発明にあっては、可動体を挿入方向へ移動させることにより該可動体を嵌合孔に挿嵌し、スピーカの表示部への取着剛性を高めることができるため、表示装置が比較的大形であっても表示装置を持ち上げて運ぶことができる。また、可動体を離脱方向へ移動させることにより該可動体を嵌合孔から抜き出すことができ、スピーカに発生する振動が取着体から表示部に伝播されるのを抑制部材により抑制することができるため、表示部にビビリ音が発生するのを防ぐことができる。
【００１６】
また、本発明に係る表示装置は、前記操作手段は、前記スピーカ又は取着体に枢支され、前記可動体を挿入方向へ押圧するレバーと、前記可動体を離脱方向へ付勢する弾性体とを備えることを特徴とする。
【００１７】
この発明にあっては、レバーを一方向へ回動操作することにより弾性体の付勢力に打ち勝って可動体を挿入方向へ移動させることができ、また、レバーを他方向へ回動操作することにより弾性体の付勢力で可動体を離脱方向へ移動させることができるため、可動体の移動切換えを簡易にできる。
【００１８】
また、本発明に係る表示装置は、前記操作手段は、軸長方向への移動が不可能で、且つ回転を可能として前記スピーカ又は取着体に保持されているボルトと、該ボルトが螺合され、前記可動体に開設されている螺子孔とを備えることを特徴とする。
【００１９】
この発明にあっては、ボルトを一方向へ回動操作することにより可動体を挿入方向へ移動させることができ、また、ボルトを他方向へ回動操作することにより可動体を離脱方向へ移動させることができるため、可動体の移動切換えを簡易にできる。
【００２０】
また、本発明に係る表示装置は、前記嵌合孔は複数並置されており、前記可動体は前記嵌合孔に挿入／離脱される複数の軸体及び該軸体を連結する連結部を有することを特徴とする。
【００２１】
この発明にあっては、複数の嵌合孔に複数の軸体が挿嵌されるため、持上げ荷重を分散することができ、スピーカの表示部への取着剛性をより一層高めることができる。
【００２２】
また、本発明に係る表示装置は、前記取着体は、下面に指が掛けられる把手部と、前記可動体が収容される収容部とを有し、前記レバー又はボルトは前記取着体に保持されていることを特徴とする。
【００２３】
この発明にあっては、取着体に可動体及び操作手段が設けられているため、部品点数を低減でき、コストを低減できる。
【００２４】
また、本発明に係る表示装置は、前記取着体は雄螺子が挿通される複数の貫通孔を有し、前記抑制部材は前記雄螺子が挿通される弾性筒、及び前記取着体の外縁部に保持される弾性板であることを特徴とする。
【００２５】
この発明にあっては、取着体を固定するための雄螺子が挿通される箇所と、取着体が表示部及びスピーカと対向する外縁部とに抑制部材が設けられているため、抑制部材に影響されることなく可動体を挿入、離脱方向へ移動させることができる。
【発明の効果】
【００２６】
本発明によれば、可動体の挿脱移動を切換えることにより、スピーカの表示部への取着剛性を高めることができ、また、スピーカに発生する振動が取着体から表示部に伝播されるのを抑制することができ、表示部にビビリ音が発生するのを防ぐことができる。
【００２７】
また、本発明によれば、レバーを回動操作することにより可動体を挿脱移動させることができるため、可動体の移動切換えを簡易にできる。
【００２８】
また、本発明によれば、ボルトを回動操作することにより可動体を挿脱移動させることができるため、可動体の移動切換えを簡易にできる。
【００２９】
また、本発明によれば、持上げ荷重を複数の嵌合孔及び軸体に分散することができ、スピーカの表示部への取着剛性をより一層高めることができる。
【００３０】
また、本発明によれば、取着体に可動体及び操作手段が設けられているため、部品点数を低減でき、コストを低減できる。
【００３１】
また、本発明によれば、取着体を固定するための雄螺子が挿通される箇所と、取着体の外縁部とに抑制部材が設けられているため、抑制部材に影響されることなく可動体を挿脱移動させることができる。
【発明を実施するための最良の形態】
【００３２】
以下本発明をその実施の形態を示す図面に基づいて詳述する。
実施の形態１
図１は本発明に係る表示装置の構成を示す正面側の斜視図、図２は背面側の斜視図、図３及び図４は一部を破断した要部の拡大側面図、図５は取着体を取外した状態の要部の構成を示す拡大斜視図、図６は取着体の構成を示す背面図、図７は要部の構成を示す横断平面図である。
【００３３】
図示した表示装置はテレビ画像を表示し、略直方体をなす表示部１と、該表示部１の下側に配置され、表示部１とほぼ等しい長さの略直方体をなすスピーカ２と、該スピーカ２を表示部１の長手方向両端部で、且つ後部に取着する二つの取着体３，３と、該取着体３，３に前後方向への移動を可能に保持された可動体４，４と、該可動体４，４を移動させるレバー５，５と、取着体３，３に一体成形された把手部６，６と、表示部１の長手方向中央部で、且つ下部に固定され、表示部１を起立状態で支持するスタンド７とを備える液晶テレビである。
【００３４】
表示部１は前側に表示面を有する液晶のパネル１ａと、該パネル１ａの後側に配置された光学シートと、拡散板と、バックライト部と、電源基板等のテレビ基板と、これらパネル等の部品を収容したキャビネット１ｂとを備えている。キャビネット１ｂの後面下部で、且つ長手方向両端部には、長手方向に離隔して配置された螺子孔１１及び嵌入孔１２と、該螺子孔１１及び嵌入孔１２の間に配置された二つの嵌合孔１３，１３とが開設されている。嵌入孔１２は円筒形をなすゴムブッシュからなる。
【００３５】
スピーカ２は、前部に複数の放音孔２ａを有し、音声発生部が収容された筺体２１を備えている。筺体２１の後面上部で、且つ長手方向両端部には、長手方向に離隔して配置された二つの螺子孔２２，２２と、該螺子孔２２，２２の間に配置された二つの嵌合孔２３，２３とが開設されている。
【００３６】
取着体３，３は、キャビネット１ｂの後面下部に固定される第１の固定部３ａと、筺体２１の後面上部に固定される第２の固定部３ｂと、第１及び第２の固定部の間に開設され、可動体４，４を移動可能に収容する収容部３ｃとを有する直方体をなしている。
【００３７】
第１の固定部３ａには螺子孔１１に対応する貫通孔３１及び嵌入孔１２に対応するピン３２が設けられており、第２の固定部３ｂには螺子孔２１，２１に対応する二つの貫通孔３３，３３が設けられており、スピーカ２に発生する振動が筺体２１から取着体３，３を経て表示部１に伝播されるのを抑制するゴム製の弾性筒８が三つの貫通孔３１，３３，３３に嵌入されている。また、取着体３，３のキャビネット１ｂ及び筺体２１と対向する取着面の外縁部にはスピーカ２に発生する振動が筺体２１から取着体３，３を経て表示部１に伝播されるのを抑制するゴム製の弾性板８ａが保持されている。そして、ピン３２の嵌入孔１２への嵌入により表示部１に対する取着体３，３の取着位置を決め、弾性筒８に挿入される雄螺子としてのボルト９を螺子孔１１，２２，２２に緊締することによりスピーカ２を表示部１に弾性的に取着し、スピーカ２に発生する振動が筺体２１から取着体３，３に伝播されるのを弾性筒８及び弾性板８ａにより抑制し、前記振動が取着体３，３から表示部１に伝播されるのを抑制するように構成されている。尚、弾性筒８の一端には図３に示すようにボルト９の頭部に当接する鍔が設けられている。
【００３８】
また、取着体３，３には収容部３ｃから後方へ貫通する保持孔３４と、該保持孔３４に開口する枢支孔と、収容部３ｃの開放縁から内側へ延出された二つの延出片とが設けられており、枢支孔に嵌入されるピン３５によりレバー５，５が回動可能に枢着され、前記延出片に跨ってばね受体３６が支持されている。
【００３９】
可動体４，４は、嵌合孔１３，１３，２３，２３に挿脱される四つの軸体４１と、該軸体４１の端部を連結する連結部４２とを有し、収容部３ｃに前後（挿脱方向）への移動を可能に収容保持されており、また、連結部４２とばね受体３６との間に、可動体４，４を離脱方向へ付勢する弾性体１０が設けられている。尚、弾性体１０はコイルバネからなる。
【００４０】
操作手段としてのレバー５，５は取着体３，３の外部に配置される操作部を一端に有し、可動体４，４の連結部４２に当接する当接部を他端に有し、途中が上下に折れ曲がる板体により形成されており、途中に開口された枢支孔にピン３５が嵌入されている。
【００４１】
把手部６，６は合成樹脂材料により取着体３，３と一体成形されている。把手部６，６は取着体３，３の中央部から固定部３ａ，３ｂより表示部１の後方に延出され、且つ下面に指が掛けられる凹所を有し、該凹所に指が掛けられて表示部１及びスピーカ２を持上げることができるように構成されている。
【００４２】
スタンド７は、載置台等に載置されるベース部７ａ及び該ベース部７ａに立設された二つの脚部７ｂ，７ｂを有しており、脚部７ｂ，７ｂの上部が表示部１の後部に取着されている。
【００４３】
図８は可動体が挿入方向へ移動した状態の図７に対応する横断平面図である。
以上のように構成された表示装置は、表示部１の下側に直方体をなすスピーカ２が配置され、該スピーカ２の後部で、かつ長手方向両端部が、抑制部材としての弾性筒８及び弾性板８ａを有する二つの取着体３，３により表示部１に取着されており、さらに、二つの取着体３，３に可動体４，４が保持されているため、表示装置を持ち運ぶ場合、レバー５，５を一方向へ回動操作し、弾性体１０の付勢力に打ち勝って可動体４，４を挿入方向へ移動させることにより、該可動体４，４の四つの軸体４１が嵌合孔１３，２３に夫々嵌入され、取着体３，３によるスピーカ２の取着剛性を高くすることができる。従って、比較的大形の表示装置であっても二人の人員が取着体３，３の把手部６，６に指を引掛け、この引掛け状態で持ち運ぶことができる。また、表示装置の持上げ荷重を、スピーカ２を表示部１に取着する取着体３，３から表示部１に伝達することができるため、スピーカ２に持上げ荷重を加えることなく持運ぶことが可能であり、持上げ荷重に対してスピーカ２を保護することができ、しかも、スピーカを取着するための取着体３，３に把手部６，６を設けてあるため、部品点数を低減でき、コストを低減できる。
【００４４】
表示装置を持ち運んだ後、レバー５，５を他方向へ回動操作することにより、弾性体１０の付勢力で可動体４，４が離脱方向へ移動し、取着体３，３は弾性筒８及び弾性板８ａにより弾性的に取着されている構成に切換わるため、スピーカ２に発生する振動を弾性筒８及び弾性板８ａで吸収することができる。従って、スピーカ２に発生する振動が取着体３，３から表示部１に伝播されるのを弾性筒８及び弾性板８ａにより抑制することができ、表示部１にビビリ音が発生するのを防ぐことができる。
【００４５】
実施の形態２
図９は一部を破断した要部の拡大側面図、図１０は要部の構成を示す横断平面図、図１１は取着体の構成を示す背面図である。
この表示装置は可動体４，４を移動させる操作手段としてレバー５，５を用いる代わりに、軸長方向への移動が不可能で、且つ回転を可能としたボルト２０，２０を用い、該ボルト２０，２０を回動操作することにより可動体４，４を挿脱方向へ相対移動させるように構成したものである。
【００４６】
取着体３，３には可動体４，４が収容される収容部３ｃから後方へ貫通し、ボルト２０，２０が挿通される二つの挿通孔３７，３７と、収容部３ｃの中央部に前記挿脱方向と平行に突設され、可動体４，４の挿脱動作を案内する案内軸３８とが設けられている。
【００４７】
可動体４，４は、四つの軸体４１を連結する連結部４２に、二つのボルト２０，２０が螺着される螺子孔４３，４３を開設してあり、連結部４２の中央部に案内軸３８が嵌入される案内孔４４を開設してある。
【００４８】
ボルト２０，２０は、軸長方向への移動が不可能で、且つ回転を可能として挿通孔３７に夫々挿通支持され、螺子部が螺子孔４３に夫々螺着され、頭部が取着体３，３の外部に配置されており、一方向へ回動操作することにより可動体４，４を挿入方向へ相対移動させ、他方向へ回動操作することにより可動体４，４を離脱方向へ相対移動させるように構成されている。尚、ボルト２０，２０は止め輪等の移動止め手段により取着体３，３に対する軸長方向への移動を止めてある。
【００４９】
図１２は可動体が挿入方向へ移動した状態の図１０に対応する横断平面図である。
この実施の形態２にあっては、表示部１の下側に直方体をなすスピーカ２が配置され、該スピーカ２の後部で、かつ長手方向両端部が、弾性筒８及び弾性板８ａを有する二つの取着体３，３により表示部１に取着されており、さらに、二つの取着体３，３に可動体４，４が保持されているため、表示装置を持ち運ぶ場合、二つの取着体３，３に保持されているボルト２０，２０を一方向へ回動操作し、可動体４，４を挿入方向へ移動させることにより、該可動体４，４の軸体４１が嵌合孔１３，２３に夫々嵌入され、取着体３，３によるスピーカ２の取着剛性を高くすることができる。従って、比較的大形の表示装置であっても二人の人員が取着体３，３の把手部６，６に指を引掛け、この引掛け状態で持ち運ぶことができる。
【００５０】
表示装置を持ち運んだ後、二つの取着体３，３に保持されているボルト２０，２０を他方向へ回動操作することにより、可動体４，４が離脱方向へ相対移動し、取着体３，３は弾性筒８及び弾性板８ａにより弾性的に取着されている構成に切換わるため、スピーカ２に発生する振動を弾性筒８及び弾性板８ａにより吸収することができる。従って、スピーカ２に発生する振動が取着体３，３から表示部１に伝播されるのを弾性筒８及び弾性板８ａにより抑制することができ、表示部１にビビリ音が発生するのを防ぐことができる。
その他の構成及び作用は実施の形態１と同様であるため、同様の部品については同じ符号を付し、その詳細な説明及び作用効果の説明を省略する。
【００５１】
尚、以上説明した実施の形態では、取着体３，３に可動体４，４を保持したが、その他、可動体４，４は二つの取着体３，３と離隔した二箇所に配置する構成としてもよいし、また、一つの可動体４を一方の取着体３と離隔した位置に設け、他の一つの可動体４を他方の取着体３に保持する構成としてもよい。また、可動体４，４は取着体３，３に保持する構成とする他、スピーカ２又は表示部１のキャビネット１ｂに保持部を設け、該保持部に可動体４，４を保持する構成としてもよい。キャビネット１ｂの保持部に可動体４，４が保持される場合、可動体４，４が嵌合される嵌合孔は取着体３，３又はスピーカ２に設けられる。
【００５２】
また、以上説明した実施の形態では可動体４，４が設けられている部材（取着体３，３）に操作手段としてのレバー５，５、ボルト２０，２０を保持する構成としたが、その他、レバー５，５又はボルト２０，２０は嵌合孔が設けられている部材（キャビネット）に保持する構成としてもよい。この場合、レバー５，５又はボルト２０，２０と可動体４，４との間に、スピーカ２に発生する振動がレバー５，５又はボルト２０，２０、及び可動体４，４から表示部１のキャビネットに伝播されるのを抑制する弾性体を設ける。
【００５３】
また、操作手段として回動を可能に枢着されたレバー５，５を備える構成としたが、その他、横方向又は上下方向への摺動を可能とした摺動部材を備え、該摺動部材と可動体４，４との間にカムを設け、摺動部材の一方への摺動操作により弾性体１０の付勢力に打ち勝って可動体４，４を挿入方向へ移動させ、摺動部材の他方への摺動操作により可動体４，４を弾性体１０の付勢力で離脱方向へ移動させるように構成してもよい。
【００５４】
また、表示部１のキャビネット１ｂ及びスピーカ２と別個に形成された取着体３，３を備える構成としたが、その他、キャビネット１ｂ又はスピーカ２と一体成形された取着体３，３によりスピーカ２を表示部１に取着する構成としてもよい。また、把手部６，６を備える構成としたが、その他、把手部６，６は必ずしも必要でない。
【００５５】
また、本発明に係る表示装置は液晶テレビ等の液晶表示装置である他、プラズマ表示装置、ＥＬディスプレイ等の表示装置であってもよい。
【図面の簡単な説明】
【００５６】
【図１】本発明に係る表示装置の構成を示す正面側の斜視図である。
【図２】本発明に係る表示装置の構成を示す背面側の斜視図である。
【図３】本発明に係る表示装置の一部を破断した要部の拡大側面図である。
【図４】本発明に係る表示装置の一部を破断した要部の拡大側面図である。
【図５】本発明に係る表示装置の取着体を取外した状態の要部の構成を示す拡大斜視図である。
【図６】本発明に係る表示装置の取着体の構成を示す背面図である。
【図７】本発明に係る表示装置の要部の構成を示す横断平面図である。
【図８】可動体が挿入方向へ移動した状態の図７に対応する横断平面図である。
【図９】本発明に係る表示装置の一部を破断した要部の拡大側面図である。
【図１０】本発明に係る表示装置の要部の構成を示す横断平面図である。
【図１１】本発明に係る表示装置の取着体の構成を示す背面図である。
【図１２】可動体が挿入方向へ移動した状態の図１０に対応する横断平面図である。
【符号の説明】
【００５７】
１    表示部
１３  嵌合孔
２    スピーカ
２３  嵌合孔
３    取着体
３ｃ  収容部
３１  貫通孔
４    可動体
４１  軸体
４２  連結部
４３  螺子孔
５    レバー（操作手段）
８    弾性筒（抑制部材）
８ａ  弾性板（抑制部材）
１０  弾性体（操作手段）
２０  ボルト（操作手段）
６    把手部
９    ボルト（雄螺子）
【図１】
2007318238.tif 000003
【図２】
2007318238.tif 000004
【図３】
2007318238.tif 000005
【図４】
2007318238.tif 000006
【図５】
2007318238.tif 000007
【図６】
2007318238.tif 000008
【図７】
2007318238.tif 000009
【図８】
2007318238.tif 000010
【図９】
2007318238.tif 000011
【図１０】
2007318238.tif 000012
【図１１】
2007318238.tif 000013
【図１２】
2007318238.tif 000014